(57)【要約】      （修正有）【課題】オーディオ信号を聴取補助器に快適で妨害のないように供給することができる聴取補助器用装置を提供する。【解決手段】デジタルの第２オーディオ信号を聴取補助器に送信するための装置であって、装置は、エネルギ供給部３０と、交番磁界を放出するための誘導ループ１４を備えている。さらに、誘導ループに導電結合、容量結合又は誘導結合されている駆動部１１を備えている。駆動部は、供給された第１オーディオ信号をデジタルの第２オーディオ信号に変換する変換器４０を有し、電磁結合部１３を介して、第２オーディオ信号を送信するように誘導ループを駆動する。【選択図】図１
2015188219.tif 000002
【特許請求の範囲】
【請求項１】
デジタルの第２オーディオ信号を聴取補助器（１００）に送信するための装置であって、この装置（１０）が、
エネルギ供給部（３０）と、
交番磁界を放出するための誘導ループ（１４）と、
前記誘導ループ（１４）に導電結合、容量結合または誘導結合されている駆動部（１１）とを備え、
前記駆動部（１１）は、それに供給された第１オーディオ信号をデジタルの第２オーディオ信号に変換し、かつ誘導ループを介して前記第２オーディオ信号を送信するように、前記誘導ループを駆動し、
前記エネルギ供給部（３０）が前記第２オーディオ信号を発生するために必要なエネルギを前記第１オーディオ信号から取り出すように形成されていることを特徴とする装置。
【請求項２】
前記駆動部（１１）が監視部を備え、前記監視部が所定の周波数範囲内の前記第１オーディオ信号のレベルを監視し、かつレベルの所定の閾値を下回るときに前記第２オーディオ信号の発生を抑制するように形成されていることを特徴とする請求項１に記載の装置。
【請求項３】
前記第１オーディオ信号内に含まれるコード化された制御ステートメントを復号するように形成された手段をさらに備えていることを特徴とする請求項１または２に記載の装置。
【請求項４】
前記第２オーディオ信号を聴取補助器（１００）に送信するためのシステムであって、このシステムが請求項２または３に記載の装置（１０）と、さらにオーディオ信号源（２０）とを備え、前記オーディオ信号源（２０）は、伝送すべきオーディオ信号と第３信号から前記第１オーディオ信号を発生するように形成され、前記第３信号は、エネルギ供給部（３０）を用いて、送信のための前記装置（１０）にエネルギを供給する信号であって、且つ前記聴取補助器（１００）の装着者に聞こえない信号であることを特徴とするシステム。
【請求項５】
前記第３信号が直流電圧信号であることを特徴とする請求項４に記載のシステム。
【請求項６】
前記第３信号が装着者に感知できない周波数範囲のオーディオ信号であることを特徴とする請求項４に記載のシステム。
【請求項７】
前記オーディオ信号源（２０）が、送信のための前記装置（１０）の制御ステートメントを前記第３信号においてコード化するように形成されていることを特徴とする請求項４〜６のいずれか一項に記載のシステム。
【発明の詳細な説明】
【技術分野】
【０００１】
本発明は、デジタルオーディオ信号を聴取補助器に送信するための聴取補助器用装置及びシステムに関する。
【背景技術】
【０００２】
聴取補助器は難聴者の補助に役立つ携帯可能な聴取装置である。たくさんの個々の要求に応じるために、耳後方補聴器（ＨｄＯ）、外部レシーバを有する補聴器（ＲＩＣ：カナル内のレシーバ）および耳内補聴器（ＩｄＯ）、例えば耳甲介補聴器またはカナル補聴器（ＩＴＥ、ＣＩＣ）のようないろいろな構造形式の聴取補助器が提供される。例示的に挙げた補聴器は外耳にまたは耳道内に装着される。さらに、骨伝導式補聴器、植込み可能なまたは振動触覚式の補聴器が市販されている。その際、傷ついた聴覚の刺激は機械的にまたは電気的に行われる。
【０００３】
補聴器は原理的には主要な構成要素として、入力変換器、増幅器および出力変換器を備えている。入力変換器は一般的に、音響電気式変換器、例えばマイクロフォンおよび／または電磁式受信器、例えば誘導コイルである。出力変換器はほとんどが電気音響式変換器、例えば小型スピーカであるかまたは電気機械式変換器、例えば骨伝導レシーバである。増幅器は通常は信号処理ユニットに組み込まれている。エネルギ供給は通常、電池または充電可能な蓄電池によって行われる。
【０００４】
ずっと以前から外部の誘導コイルが知られている。この誘導コイルはオーディオ信号によってアナログ変調された電磁交番磁界を発する。これにより、講堂、コンサートホールまたは教会において、うるさい周囲騒音または反響を含まないオーディオ信号を難聴者に供給することができる。
【０００５】
価値の高いオーディオ信号を直接供給するために、オーディオシューとも呼ばれる直接な電気式オーディオ端子を備えた聴取補助器が知られている。
【０００６】
さらに、特許文献１から、首の周りに掛けられる誘導ループが知られている。この誘導ループは変換器を備え、この変換器は、補聴器内の誘導コイルを信号入力部として駆動するために、入力されたオーディオ信号を誘導コイルのためのアナログ信号に変換する。変換器はオーディオ信号をアナログ無線信号としてあるいはブルートゥースを介して受信することができる。
【０００７】
しかしながら、ケーブル接続はしばしばわずらわしく感じられ、アナログ無線接続は大電流電気工学または無線工学のような電磁交番磁界の他の源によって外部から混信の影響を受ける。
【先行技術文献】
【特許文献】
【０００８】
【特許文献１】欧州特許出願公開第２２２２０９５Ａ１号明細書
【発明の概要】
【発明が解決しようとする課題】
【０００９】
そこで、本発明の課題は、オーディオ信号を聴取補助器に快適で妨害のないように供給することができる、聴取補助器用装置とシステムを提供することである。
【課題を解決するための手段】
【００１０】
この課題は本発明に従い、請求項１に記載した装置と、請求項４に記載したシステムによって解決される。
【００１１】
デジタルの第２オーディオ信号を聴取補助器に送信するための本発明に係る装置は、エネルギ供給部と、交番磁界を放出するための誘導ループを備えている。この装置はさらに、誘導ループに導電結合、容量結合または誘導結合されている駆動部を備えている。その際、駆動部は、それに供給された第１オーディオ信号をデジタルの第２オーディオ信号に変換し、かつ誘導ループを介して第２オーディオ信号を送信するように、誘導ループを駆動する。エネルギ供給部は駆動信号を発生するために必要なエネルギを第１オーディオ信号から取り出すように形成されている。これは例えば、第１オーディオ信号の交流成分の滅結合（分離）および整流、または、第１オーディオ信号の直流成分の滅結合によって行うことができる。
【００１２】
本発明に係る装置は、誘導ループを用いてデジタルのコード化された第２オーディオ信号を送信する。デジタルオーディオ信号はアナログ妨害信号に対して妨害されず、適当なコード化または圧縮の選択時に良好な音質を提供する。本発明に係るエネルギ供給部は電池または蓄電池のようなエネルギ蓄積器を省略することができるので有利である。この電池や蓄電池は充電または交換のために駆動を中断する必要がある。
【００１３】
デジタルの第２オーディオ信号を聴取補助器に送信するための本発明に係るシステムは、デジタルの第２オーディオ信号を聴取補助器に送信するための本発明にかかる装置と、さらにオーディオ信号源を備え、このオーディオ信号源は伝送すべきオーディオ信号と第３信号から第１オーディオ信号を発生するように形成されている。第３信号は、エネルギ供給部を用いて、送信のための装置にエネルギを確実に供給するのに適している。その際、第３信号は聴取補助器の装着者に聞こえない信号を生じる。その際、第１オーディオ信号は、単独ではオーディオ信号として把握されない信号成分、例えば直流成分または高周波成分を有していてもよい。
【００１４】
オーディオ信号源は送信するための装置にエネルギを有利に供給することができる。従って、装置の電池を省略することができる。この電池は付加的なスペースを必要とし、必然的に重量を伴う。さらに、交換または充電のための定期的な費用が不要である。
【００１５】
本発明の他の有利な発展形態は従属請求項に記載してある。
【００１６】
本発明に係る装置の実施形では、駆動部が監視部を備え、この監視部が所定の周波数範囲内の第１オーディオ信号のレベルを監視し、かつレベルの所定の閾値を下回るときに第２オーディオ信号の発生を抑制するように形成されている。
【００１７】
従って、十分なレベルを有する適切な信号がもはや供給されないときには、電磁交番磁界の発生を有利に抑制することができる。それによって、例えば妨害ノイズまたは背景騒音の伝送が回避される。同時に、交番磁界が不足しているときに、聴取補助器が受信回路の作動を一時的に停止し、エネルギを節約してもよい。
【００１８】
本発明に係る装置の考えられる実施形では、装置が第１オーディオ信号内でコード化された制御ステートメントを復号するための手段を備えている。
【００１９】
これにより、例えば適当なアプリケーションを有するスマートフォンであってもよいオーディオ源が、装置を経て聴取補助器に制御信号を伝え、この聴取補助器を制御することができるので有利である。
【００２０】
装置の考えられる実施形では、第３信号が直流電圧信号である。
【００２１】
直流電圧信号は装置においてオーディオ信号から容易に分離可能であり、聞こえるアーチファクトを発生せず、そして同時に、オーディオ信号の音量に依存しない、装置のための持続的なエネルギ供給を提供する。
【００２２】
本発明に係るシステムの考えられる実施形では、第３信号は装着者が感知できない周波数範囲のオーディオ信号である。
【００２３】
装着者に聞こえないオーディオ信号は、第１オーディオ信号に簡単に重畳可能であり、かつ例えば高域フィルタまたは低域フィルタによってこの第１オーディオ信号から分離可能である。オーディオ信号が装着者に聞こえないので、装着者を妨害することなくオーディオ信号を持続的に使用することができる。従って、本発明に係る装置の持続的なエネルギ供給が保証される。
【００２４】
本発明に係るシステムの考えられる実施形では、送信のための装置の制御ステートメントを第３信号内でコード化するように、オーディオ信号源が形成されている。
【００２５】
これにより、例えば適当なアプリケーションを有するスマートフォンであってもよいオーディオ源が装置を経て聴取補助器に制御信号を伝え、この聴取補助器を制御することができるので有利である。
【００２６】
本発明の上述の特性、特徴および効果と、これらを達成する方法および方式は、実施の形態の次の説明に関連して一層明確におよび一層はっきりと理解される。この実施の形態を図に関連して詳しく説明する。
【図面の簡単な説明】
【００２７】
【図１】本発明に係る装置の実施の形態とオーティオ源を備えた本発明に係るシステムの実施の形態の概略図である。
【図２】本発明に係る装置の他の実施の形態とオーティオ源を備えた本発明に係るシステムの他の実施の形態の概略図である。
【図３】図１の本発明に係る装置のエネルギ供給部の第１の実施の形態の概略図である。
【図４】図１の本発明に係る装置のエネルギ供給部の第２の実施の形態の概略図である。
【図５】エネルギ供給部の実施の形態の概略図である。
【図６】デジタルオーディオ信号を送信するための本発明に係る装置と共に使用するための聴取補助器の概略図である。
【図７】伝送すべきオーディオ信号、第３信号および第１オーディオ信号の例示的な形を示す。
【発明を実施するための形態】
【００２８】
図１は本発明に係るシステム５０の実施の形態を概略的に示す。システム５０は第２デジタルオーティオ信号を送信するための本発明に係る装置１０と、オーディオ源２０を備えている。
【００２９】
装置１０は誘導ループ１４を備えている。この誘導ループは考えられる実施の形態では、聴取補助器１００の装着者の首の周りに装着されるように形成されている。それによって、誘導ループは、交流を流したときに、装着者の耳の範囲に電磁交番磁界を発生する。
【００３０】
交流は駆動部１１によって発生させられ、駆動部１１は、誘導ループ１４が電磁項番磁界を発生するように誘導ループ１４を駆動する。この駆動部１１はエネルギ供給部３０を備えている。このエネルギ供給部は変換器４０に電気エネルギを供給する。エネルギ供給部３０の考えられる実施の形態が図３、図４および図５に示してある。
【００３１】
第１オーディオ信号が信号ケ−ブル１６を経て供給される。第１オーディオ信号はアナログまたはデジタルでコード化可能である。第１オーディオ信号はエネルギ供給部３０と変換器４０に供給される。
【００３２】
変換器４０は第１オーディオ信号を、誘導ループを介して伝送するのに適したデジタルの第２オーディオ信号に変換する。その際特に、伝送のためにエネルギ消費が少なくて済むコード化方式および変調方式が有利である。これは特に、両耳処理を行う聴取補助器の間での伝送のために使用されるようなコード化方式および変調方式である。
【００３３】
変調方式として例えば周波数偏移変調（ＦＳＫ）、位相偏移変調（ＰＳＫ）、二相位相偏移変調（ＢＰＳＫ）、４重位相偏移変調（ＱＰＳＫ）または差動位相偏移変調（ＤＰＳＫ）を使用することができる。デジタルオーディオコード化のための考えられるコード化方式は例えば、待ち時間の短いＧ．７１１、Ｇ．７２２またはＧ７２２．２である。しかし、ＭＰ３のような待ち時間の長い方式も使用可能である。
【００３４】
聴取補助器１００でも使用されるようなモジュールまたはチップセットを使用すると有利である。それによって、両耳聴取補助器１００の場合、デジタルの第２オーディオ信号を受信および評価するために、ハードウェアの変更を行う必要がない。
【００３５】
変換器４０は電磁結合部１３に信号接続された信号出力部を有し、誘導ループ１４内に交流を発生するので、装置１０がデジタルの第２オーディオ信号を聴取補助器１００に伝送することになる。
【００３６】
考えられる実施の形態では、装置１０が任意にマイクロフォン１２を備えている。それによって、装置１０は聴取補助器１００およびオーディオ源２０としてのスマートフォンと共にハンズフリー装置としての働きをすることができる。そのために、マイクロフォン１２のオーディオ信号を装置１０からスマートフォンに伝送する他のマイクロフォンケーブル１７が設けられている。
【００３７】
本発明に係る装置の考えられる実施の形態では、駆動部が監視部を備えている。この監視部は、所定の周波数範囲内の第１オーディオ信号のレベルを監視し、レベルの所定の閾値を下回るときに第２オーディオ信号の発生を抑制するように形成されている。その際、所定の周波数範囲としては好ましくは、装着者に感じられる周波数範囲、例えば５０Ｈｚと４ｋＨｚとの間または１００Ｈｚと２ｋＨｚとの間または１００Ｈｚと１ｋＨｚとの間を用いることができる。オーディオ源の信号の所定の閾値としては、１Ｖ、５００ｍＶ、１００ｍＶまたは５０ｍＶのレベルあるいはオーディオ信号のデジタル表示でのその同値を用いることができる。好ましくは、閾値レベルはＳＮ比の上方にあり、例えば信号のノイズのレベルの上方５、１０または２０ｄＢである。
【００３８】
図２は本発明に係るシステム５０の他の実施の形態を示す。同じ対象にはここでは同一参照符号がつけてある。
【００３９】
図２の実施の形態は、誘導ループの結合がコイルまたはトランスミッタによって誘導的に行われずに、結合１３がコンデンサによって行われる点が図１の実施の形態と異なっている。
【００４０】
本発明の実施の形態では基本的には、ケーブルの形態の信号接続部はオーディオ源２０と駆動部１１との間に設けられない。その代わりに、電波による無線通信を行うことができる。例えばブルートウース規格を使用することができる。この場合、本発明では、電波によるオーディオ信号の他のデジタルまたはアナログの伝送方式を使用することができる。例えば、光、特に赤外線範囲の光を用いた伝送が考えられる。
【００４１】
この場合、図５に関連して詳しく説明するエネルギ供給の実施が考えられる。
【００４２】
その際、マイクロフォン１２が駆動部１１に信号接続されている。この場合、駆動部１１が増幅器とＡ／Ｄコンバータを備えているので、マイクロフォン１２の信号はデジタル化され、無線通信によってオーディオ源２０に伝送可能である。これは特に、オーディオ源２０がスマートフォンであるときに、装置１０が例えばヘッドセットとしてブルートウースを介して接続可能であるときに有利である。
【００４３】
図３は、エネルギ供給部３０を備えた本発明に係る装置１０の例示的な実施の形態を示している。エネルギ供給部３０は第１オーディオ信号を装置に供給する信号ケーブル１６に電気的に接続されている。
【００４４】
信号ケーブル１６で供給された第１オーディオ信号は整流素子３１を介して整流され、エネルギ蓄積素子３２に供給される。そのために、整流素子３１は一方の側が信号ケーブル１６の第１心線に接続され、他方の側がエネルギ蓄積素子３２の第１極に接続されている。整流素子３１としては、ダイオードあるいはブリッジ整流器またはアクティブ整流器のような複雑な回路が役立つ。特に、例えばショットキーダイオードのような低下した順電圧を有する整流素子が有利である。そのために、オーディオ信号のレベルは整流素子の順電圧よりも大きくなければならない。第１オーディオ信号を強く減衰しすぎないようにするために、例えば信号ケーブル１６と整流素子３１との間に抵抗を設けることができる。
【００４５】
しかし、第１オーディオ信号が装着者にとって聞き取れない音範囲、例えば１０Ｈｚ未満の超低周波音範囲または例えば１５ｋＨｚ超の超音波範囲の直流電圧成分または交流電圧を有することも考えられる。その際、これらの信号が持続的に供給され、すなわち聞き取れる音が伝送されないときも供給され、装置にエネルギを供給すると有利である。デジタルの第１オーディオ信号も交流電圧成分を有する。この交流電圧成分は図示していない回路による整流の後、持続的にエネルギを供給する働きをすることができる。
【００４６】
エネルギ蓄積素子３２は一方の側が整流素子３１に、そして他方の側が基準極に電気的に接続されている。図示した例で、これは信号ケーブル１６の第２心線である。しかし、整流素子３１としてブリッジ整流器を使用する場合には、これは整流素子３１の別個の端子であってもよい。エネルギ蓄積素子３２は信号ケーブル１６の第１オーディオ信号の種類とエネルギ供給のための使用周波数範囲に従う。オーディオ信号に直流電圧が重畳されると、エネルギ蓄積素子３２は小さな容量のコンデンサであってもよいし、または電圧供給の中断が生じないので省略することができる。
【００４７】
第１オーディオ信号が持続的な交流電圧成分を、言わば聞き取ることができない音としてあるいはデジタルコード化の交流電圧成分として有すると、エネルギ蓄積素子は、この交流電圧成分の少なくとも１周期を導通するような容量に形成されている。エネルギ蓄積素子の容量の代表的な値は少なくともマイクロファラドの範囲である。
【００４８】
エネルギがアナログの第１オーディオ信号からのみのエネルギ供給によって得られると、エネルギ蓄積素子は第１オーディオ信号の短い休止の間も導通しなければならない。そのためには、エネルギ蓄積素子３２の容量が数百のマイクロファラドの範囲またはミリファラドの範囲であることが必要である。エネルギ蓄積素子３２例えばいわゆるスーパーコンデンサまたは急速充電可能な蓄電池を使用することができる。
【００４９】
さらに、第１オーディオ信号、エネルギ蓄積素子３２の設計およびエネルギ供給部３０によってエネルギを供給される変換器４０の要求に応じて、エネルギ蓄積素子３２から生じる電圧を平滑化または複数倍化する必要がある。平滑化のために、電圧調整器を設けることができる。その際、電圧調整器が同時に変圧器３３として形成され、それによって第１オーディオ信号の交流電圧の小さな振幅で、変換器４０のための十分な供給電圧を提供することができると有利である。変圧器３３はエネルギ蓄積素子３２と変換器４０との間に配置され、変換器４０にとって必要な値に電圧を保持する。変圧器３３は例えば誘導スイッチングコンバータとしてあるいは容量性電荷ポンプとして形成可能である。第１オーディオ信号の電圧または振幅が十分に高い場合、変圧器３３は簡単な縦方向コントローラであってもよい。
【００５０】
信号ケーブル１６は、図３ではコンデンサとして形成されている直流電圧滅結合素子１５によって、変換器４０のオーディオ信号入力から直流電圧を分離される。それによって、アナログまたはデジタルの第１オーディオ信号の交流電圧成分だけが変圧器４０に達する。信号ケーブル１６の他の心線だけがアース基準電位として変換器４０と電気的に結合している。
【００５１】
その際、第１オーディオ信号を信号ケーブル１６で対称的に伝送することもできる。この場合、信号ケーブル１６の両心線にはそれぞれ、直流滅結合素子としてのコンデンサを設けることができる。さらに、伝送変圧器あるいは特にデジタルの第１オーディオ信号の場合はオプトカプラによる直流滅結合（直流分離）が考えられる。
【００５２】
本発明の可能な実施の形態では、駆動部１１を結合部１３なしに直接直流電気的に誘導ループ１４に結合することが考えられる。それによって、結合部１３内の誘導トランスミッタまたはコンデンサのための付加的なスペースを節約することができる。
【００５３】
図４は、他のエネルギ供給部３０を備えた装置１１の他の実施の形態を示す。同じ要素には同一参照符号がつけてある。
【００５４】
図４の実施の形態は２個の整流素子３１を備えている。この整流素子は、交流電圧信号の正の半波と負の半波がエネルギ蓄積素子３２の充電のために寄与するように接続配置されている。さらに、整流素子３１は交流電圧信号を案内する信号ケーブル１６の心線に電気的に接続されておらず、結合コンデンサ３４を介して容量結合が行われる。さらに、信号ケーブル１６の第２心線による容量結合または第２伝送変圧器を介しての結合が考えられる。さらに、信号ケーブル１６は伝送変圧器１５を介して変換器４０に誘導結合されている。
【００５５】
図４の実施の形態では、装置１０のエネルギ供給は信号ケーブル１６の直流電圧成分を介してではなく、交流電圧成分を介して、言わばアナログオーディオ信号の聞き取れるかまたは聞き取れないスペクトルの成分としてあるいはデジタルオーディオ信号のコード化の交流電圧成分として得られる。
【００５６】
図５は、例えば図２の装置１０で考えられるようなエネルギ供給部３０の他の実施形を有する装置１１の他の実施の形態を示す。同じ要素には同一参照符号がつけてある。
【００５７】
図２の装置１０は第１オーディオ信号を供給するために信号ケーブル１６を備えておらず、第１オーディオ信号２０は無線伝送方式によってオーディオ源２０と装置１０との間で伝送される。
【００５８】
従って、信号ケーブル１６を介してエネルギ供給部３０にエネルギを供給することは不可能である。しかしながら、エネルギ蓄積素子として、充電可能な蓄電池を設けることができる。この蓄電池は、整流素子３１と、外部の充電装置によって誘導エネルギが供給される充電コイル３５を介して充電することができ、従って、長い時間にわたって装置１０を運転することができる。しかしながら、エネルギ蓄積器３２として、交換可能な使い捨て電池を用いることができる。
【００５９】
図６は、発信のために本発明に係る装置１０を使用する聴取補助器１００の原理的な構造を示す。耳の後ろに装着するための聴取補助器ケーシング１内には、周囲から音声または音響信号を感知して電気信号に変換するためのマイクロフォン２が組み込まれている。同様に聴取補助器ケーシング１に組み込まれた信号処理装置３は第１オーディオ信号を処理する。信号処理装置３の出力信号はスピーカまたはレシーバ４に伝送される。このスピーカまたはレシーバは音響信号を出力する。音声は場合によっては、耳形成物によって耳道内に固定された音響チューブを経て補助器装着者の鼓膜に伝送される。例えば骨伝導レシーバのような他の電気機械式変換器も使用可能である。補聴器のエネルギ供給と特に信号処理装置３のエネルギ供給は、同様に補聴器ケーシング１に組み込まれた電池５によって行われる。この電池はそれを外に取出可能な電池ケース内に配置されている。
【００６０】
聴取装置はさらに、誘導コイル６を備えている。この誘導コイルは電磁交番磁界を感知し、電気信号に変換するように形成され、この電気信号は信号処理装置３に供給される。信号処理装置３内には通信ユニット７が設けられている。この通信ユニットは誘導コイル６から受信した信号を復調および復号し、レシーバを介して出力するために信号処理装置３に供給する。オーディオ信号の変調方式としておよびコード化するために特に、両耳聴取補助システムの２個の聴取補助器１００の間で通信するために開発された方法が使用される。この聴取補助器は一方でエネルギ消費が少なくて済むように形成され、他方ではこのような１個の聴取補助器１００の場合、このような電磁交番磁界を受信するための別個の要素を設ける必要がないかあるいは付加的な記憶場所やプロセッサ資源を必要とする装置１０のための他のアルゴリズムを実装する必要がない。
【００６１】
図７は最も上側のグラフに、伝送すべきオーディオ信号６０を示している。伝送すべきオーディオ信号６０は減衰するので、時間ｔの一部には交流電圧Ｕが存在しない。変換器４０のエネルギ供給を確実にするために、本発明に係るシステム５０の考えられる実施の形態では、オーディオ信号源２０が伝送オーディオ信号６０に加えて第３信号６１を発生する。
【００６２】
第３信号６１は図示した実施の形態では、一定の振幅を有する高周波のオーディオ信号である。その際、高周波のオーディオ信号とは、もはや聴取補助器の装着者の可聴範囲内にない周波数を有するオーディオ信号であると理解される。通常は８ｋＨｚ、１０ｋＨｚまたは１５ｋＨｚ超の周波数である。この周波数は特に、オーディオ信号源２０が発生および出力するように設計された周波数範囲内にある。その際好ましくは、変換器４０は、誘導ループ１４を介さないでこの高周波のオーディオ信号を聴取補助器１００に伝送するように形成されている。例えば、変換器４０の入力部で、第１オーディオ信号６２が低域フィルタによって高周波オーディオ信号を除去される。
【００６３】
しかし、第３信号が直流電圧信号であってもよい。オーディオ信号源２０は、このような直流電圧信号を出力するように形成しなければならない。
【００６４】
第３信号は実施の形態では、１個または複数の聴取補助器１００に制御信号を伝送するために使用することもできる。
【００６５】
例えば、図７に示した第３信号６１は、制御ステートメントを伝送するために、コードによって振幅変調または周波数変調可能である。この場合、駆動部１１は、このコードを変調し、適切なコード化によって、好ましくはデジタルで、第２信号の一部として誘導ループ１４を経て出力するように形成されている。これに相応して、制御ステートメントを認識および実施するように、聴取補助器１００を形成しなければならない。
【００６６】
例えば遠隔制御アプリケーションがオーディオ源２０としてのスマートフォンでこの制御ステートメントを発生し、第３信号でコード化することも考えられる。
【００６７】
オーディオ源２０がデジタルオーディオ源であると、制御ステートメントをオーディオ源のビットストリームに組み込み、例えば特別なデータセット識別によってオーディオデータと区別してもよい。
【００６８】
同様に、第３信号としての直流電圧信号をオンオフによってコード化することができる。この場合、聞こえる音響衝撃を聴取補助器で回避するために、適当なフィルタが必要である。
【００６９】
有利な実施の形態によって本発明を詳細に図示および説明したが、本発明は、開示した例に限定されるものではなく、当業者は本発明の保護範囲を逸脱することなく、この例から他の変形を導き出すことができる。
【符号の説明】
【００７０】
１・・・聴取補助器ケーシング
２・・・マイクロフォン
３・・・信号処理装置
４・・・スピーカ
５・・・電池
６・・・誘導コイル
７・・・通信ユニット
１０・・・装置
１１・・・駆動部
１２・・・マイクロフォン
１３・・・電磁結合部
１４・・・誘導ループ
１５・・・直流電圧滅結合素子
１６・・・信号ケ−ブル
１７・・・マイクロフォンケーブル
２０・・・オーディオ信号源
３０・・・エネルギ供給部
３１・・・整流素子
３２・・・エネルギ蓄積素子
３３・・・変圧器
３４・・・結合コンデンサ
３５・・・充電コイル
４０・・・変換器
６０・・・オーディオ信号
６１・・・第３信号
６２・・・第１オーディオ信号
１００・・・聴取補助器
【図１】
2015188219.tif 000003
【図２】
2015188219.tif 000004
【図３】
2015188219.tif 000005
【図４】
2015188219.tif 000006
【図５】
2015188219.tif 000007
【図６】
2015188219.tif 000008
【図７】
2015188219.tif 000009